(57)【要約】【課題】  季節に応じて快適な睡眠環境を得ることが出来るとともに、温熱治療の効果も有する温熱治療器を提供する。【解決手段】  上面に複数の吸気孔５を有し、側面に排気口１１を有し、内部に立体格子空間材Ａ３および送風機１０および発熱体２および緩衝体１を有した本体６と、底面と上面間を貫く複数の通気孔１７を有するまくら素材１６およびこのまくら素材１６の上部に立体格子空間材Ｂ１８を有したまくら１５とを備え、まくら１５を本体６上面に載置し、前記送風機１０により本体６の吸気孔５から立体格子空間材Ａ３を介して吸気する空気と、まくら１５の立体格子空間材Ｂ１８から通気孔１７と本体６の吸気孔５と立体格子空間材Ａ３を介して吸気する空気を排気口１１より本体６外に排気する。【選択図】  図１
2005192883.tif 000002
【特許請求の範囲】
【請求項１】
上面に複数の吸気孔（５）を有し、側面に排気口（１１）を有し、内部に立体格子空間材Ａ（３）および送風機（１０）および発熱体（２）および緩衝体（１）を有した本体（６）と、底面と上面間を貫く複数の通気孔（１７）を有するまくら素材（１６）およびこのまくら素材（１６）の上部に立体格子空間材Ｂ（１８）を有したまくら（１５）とを備え、まくら（１５）を本体（６）上面に載置し、前記送風機（１０）により本体（６）の吸気孔（５）から立体格子空間材Ａ（３）を介して吸気する空気と、まくら（１５）の立体格子空間材Ｂ（１８）から通気孔（１７）と本体（６）の吸気孔（５）と立体格子空間材Ａ（３）を介して吸気する空気を排気口（１１）より本体（６）外に排気することを特徴とする温熱治療器。
【請求項２】
本体（６）の上面に設けられた吸気孔（５）は、まくら（１５）を載置する部分に設けた吸気孔Ｂ（５ｂ）と、本体（６）に仰臥する人体の上半身部分に設けた吸気孔Ａ（５ａ）とで構成したことを特徴とする請求項１記載の温熱治療器。
【請求項３】
まくら（１５）の通気孔（１７）と本体（６）の吸気孔（５）がずれないように固定することができる固定手段（２２ａ）、（２２ｂ）を設けたことを特徴とする請求項１記載の温熱治療器。
【発明の詳細な説明】
【技術分野】
【０００１】
本発明は、季節に応じて快適な睡眠環境を得ることが出来るとともに、温熱治療の効果も有する温熱治療器に関するものである。
【背景技術】
【０００２】
従来、この種の温熱治療器は、寝具表布の下部に空間材を設けるとともに、吸気ユニットを設け、吸気ユニットを作動させて寝具表布から寝具表面の空気を吸気して、人体からの熱気や湿気等を寝具外に放出し、夏季において寝床内の温度と湿度が高い不快な寝床環境を快適にするものが提案されている（例えば、特許文献１参照）。
【０００３】
【特許文献１】特開２００２−７８５７０号公報
【発明の開示】
【発明が解決しようとする課題】
【０００４】
しかしながら、上記従来の寝具は寝具上面の人体周囲の熱や湿度を含んだ空気を吸気し寝具外に放出して不快な寝床環境を改善することができるが、寝具の上に載せたまくらの部分はまくらに邪魔されて吸気できず、人体の頭の周辺は熱や湿気が籠もり不快感が改善されていなかった。
【課題を解決するための手段】
【０００５】
本発明は上記の問題を解決するためになされたものであり、請求項１では上面に複数の吸気孔を有し、側面に排気口を有し、内部に立体格子空間材Ａおよび送風機および発熱体および緩衝体を有した本体と、底面と上面間を貫く複数の通気孔を有するまくら素材およびこのまくら素材の上部に立体格子空間材Ｂを有したまくらとを備え、まくらを本体上面に載置し、前記送風機により本体の吸気孔から立体格子空間材Ａを介して吸気する空気と、まくらの立体格子空間材Ｂから通気孔と本体の吸気孔と立体格子空間材Ａを介して吸気する空気を排気口より本体外に排気するものである。
【０００６】
また、請求項２では本体の上面に設けられた吸気孔は、まくらを載置する部分に設けた吸気孔Ｂと、本体に仰臥する人体の上半身部分に設けた吸気孔Ａとで構成したものである。
【０００７】
また、請求項３ではまくらの通気孔と本体の吸気孔がずれないように固定することができる固定手段を設けたものである。
【発明の効果】
【０００８】
本発明の寝具は、上記のように構成したことにより請求項１では、本体に仰臥した人体の腰から上の背中部や頭の周辺から熱気や湿気を送風機により吸気して本体外に放出できるので夏季の寝苦しい不快感を改善することができる。
【０００９】
また、請求項２では、本体の上面に設けられた吸気孔を必要最小限の数だけ設けることにより、小型の送風機を使用して効率良く寝床環境を改善することができる。
【００１０】
また、請求項３ではまくらの通気孔とカバーＡの吸気孔がずれてまくらの上面の空気を吸気することができなくなることを防止することができる。
【発明を実施するための最良の形態】
【００１１】
以下、本発明の一実施例を図１〜図６を参照して説明する。図１は本発明の一実施例を説明する温熱治療器の斜視図、図２は同じく本体からまくらを除いた状態の斜視図、図３は同じく本体からカバーＡを外した状態の斜視図、図４は同じく本体に人が仰臥した状態の縦断面図、図５（ａ）は同じく本体に載置して使用するまくらの斜視図、図５（ｂ）は同じくまくらの破断斜視図、図６は同じくまくらの底面斜視図である。
【００１２】
図において、１は寝具として使用可能な緩衝体で、この上に人体が仰臥する。
【００１３】
２は緩衝体１の上面に載せられた発熱体で、コード状のヒータが蛇行して配置され保持シートで保持されていて平面を加熱することができるものであり、緩衝体１に人が仰臥したとき腰から下の部分が密になるように配置されていて、発熱体２のヒータを通電することにより頭寒足熱となるように暖房することができる。
【００１４】
また、発熱体２にはコード状のヒータの他にコード状の電位線（図示せず）がヒータと同様に蛇行して保持シートに配置されていて、この電位線にマイナスの高電位を印加することにより、この上に仰臥した人体に電位治療を行うことができるものである。
【００１５】
３は発熱体２の上面に載せられた立体格子空間材Ａで、プラスチック製の糸を多数編みこんだ三次元構造繊維素材で構成してあり、これにより連通した空気層が形成されていて通気性と放湿性に優れ、またこの上に仰臥した人体の体圧を分散することができる。
【００１６】
４は緩衝体１と発熱体２と立体格子空間材Ａ３の全体を覆う袋状のカバーで通気性が制限された不織布等の素材で構成してある。
【００１７】
５はカバー４に開けられた吸気孔で緩衝体１に人が仰臥したとき腰から背中にかけての上半身部分に適当な間隔で複数個開けられている吸気孔Ａ５ａと、緩衝体１に人が仰臥したとき頭の位置すなわちまくら１５を載置する位置に適当な間隔で複数個開けられている吸気孔Ｂ５ｂで構成されている。
【００１８】
６は寝具として使用可能な温熱治療器の本体である。
【００１９】
７は外郭カバーで寝具として外観を良くし商品性を高めるためにカバー４の上からさらに覆っているものである。
【００２０】
８ａは外郭カバー７に開けられた吸気部Ａでメッシュ状になっていて、カバー４に開けられた吸気孔Ａ５ａの上を覆う位置に設けられ、ここから本体６の表面の空気を吸気する。
【００２１】
８ｂは同じく外郭カバー７に開けられた吸気部Ｂでメッシュ状になっていて、カバー４に開けられた吸気孔Ｂ５ｂの上を覆う位置に設けられ、ここから本体６表面の空気を吸気する。
【００２２】
１０は送風機で緩衝体１の側面に切り欠け部を設け、この中に納められている。そして送風機１０を動作させると外郭カバー７の吸気部Ａ８ａ、Ｂ８ｂからカバー４の吸気孔Ａ５ａ、Ｂ５ｂを介して吸気し、立体格子空間材Ａ３の内部の連通した空気層を通し発熱体２の保持シートに設けられた切り欠け（図示せず）を通して吸気し、吸気した空気は緩衝体１の側面に開けられた後記する排気口１１から外部に排気される。なおカバー４及び外郭カバー７にはこの排気口１１の位置する部分に予め空気の流通する孔を開けてある。
【００２３】
１１は排気口で本体６の側面に設けられていて送風機１０の送風される空気を本体６の外部に排気している。
【００２４】
１２は制御部で緩衝体１の側面に切り欠け部を設けこの中に納められていて、送風機１０の通電による清涼効果や、発熱体２のヒータの通電による温熱治療効果や電位線のマイナスの高電位を通電する電位治療効果の動作を制御している。
【００２５】
１３はコントローラで制御部１２と接続されていて、送風機１０と発熱体２の通電状態を任意で設定できるように操作することができるものであり、タイマー動作や、ヒータの設定温度や、電位線のマイナス高電位のオン・オフや、送風機の強弱運転等を設定することができる。
【００２６】
１４は電源コードである。
【００２７】
１５は本体６に載せられるまくら、１６はまくら素材でクッション性の良い低反発ポリウレタンフォームで構成されている。
【００２８】
１７はまくら素材１６の上面と底面を貫通して開けられている通気孔で適当な間隔を開けて複数個設けられている。
【００２９】
１８は立体格子空間材Ｂでプラスチック製の糸を多数編み込んで構成してあり、これにより連通した空気層が形成されていてまくら素材１６の上部に上面を覆うように載せられている。
【００３０】
１９はシールで立体格子空間材Ｂ１８の端部を折り込み密度の高い材料で包囲して縫製固定し、プラスチック製の糸がはみ出さないようにしている。
【００３１】
２０は中袋で通気性と伸縮性のあるニット製のものであり、まくら素材１６を収納していて、まくら素材１６の低反発ポリウレタンフォームに着色された色が後記するまくらカバーに付着しないようにしている。
【００３２】
２１はニット製のまくらカバーで、まくら１５全体を覆って立体格子空間材Ｂ１８がまくら素材１６からずれないようにしていて、肌触り、通気性、放熱性が良いものである。
【００３３】
２２ａ、２２ｂは固定手段でマジックテープよりなり、本体６に載置されたまくら１５の通気孔１７と本体６の吸気孔５が重なってずれないように固定することができるものであり、固定手段２２ａは本体６にまくら１５を載置する場所の外郭カバー７に設けられていて、固定手段２２ｂはまくら１５の下面のまくらカバー２１に設けられている。そしてまくら１５を本体６の固定手段２２ａの部分に載置するとマジックテープの働きでまくら１５が本体６に固定される。
【００３４】
次に以上の構成による作用を説明する。
【００３５】
まず、まくら１５を本体６の上面の所定位置に載置すると、まくら１５と本体６の外郭カバー７の固定手段２２ａ、２２ｂが張り付き本体６の吸気孔Ｂ５ｂとまくら１５の通気孔１７が重なって固定される。
【００３６】
次に電源コード１４を電源に差込みコントローラ１３を操作して運転を開始する。
【００３７】
そして、暑い夏場は電位治療機能と清涼機能を働かすか、または清涼機能のみ働かせるようにコントローラ１３を操作して涼しく快適に睡眠できるようにする。
【００３８】
そして、清涼機能を働かすと、送風機１０が通電され送風機１０の吸気により本体６に仰臥した人体の腰から上の背中部から吸気孔Ａ５ａと立体格子空間材Ａ３を介して空気を吸気して排気口１１から本体６外部に排気し、人体からの熱気や湿気等を本体６外に放出し夏季において寝床内の温度と湿度が高い不快な寝床環境を快適にする。
【００３９】
また、同様にまくら１５に設けた立体格子空間材Ｂ１８から通気孔１７と本体６の吸気孔Ｂ５ｂと立体格子空間材Ａ３を介してまくら１５に乗せた頭の周辺の空気を吸気して排気口１１から排気することにより、爽やかな涼風が頭や顔の周り全体をゆっくり流れ、頭部周辺の熱を奪うので夏の暑い夜に頭部が汗でべとついたりしないで涼しく寝ることができる。
【００４０】
また、電位治療だけを行う場合は送風機１０は通電せず、発熱体２の電位線にマイナスの高電位を印加して、本体６上に仰臥した人体の電位治療を行うように制御し、主に体内バランスを良くし、慢性便秘や頭痛や不眠症、肩こり等の効果効能を得る。
【００４１】
また、寒い冬場は温熱治療機能と電位治療機能を働かすか、または温熱のみで適温で快適に睡眠できるようにする。
【００４２】
したがって、本体６に仰臥した人体の腰から上の背中部や頭の周辺から熱気や湿気を送風機１０により吸気して本体６外に放出できるので夏季の寝苦しい不快感を改善することができる。
【００４３】
また、本体６の上面に設けられた吸気孔５をまくら１５を載置する部分と、本体６に仰臥する人体の上半身部分の必要最小限の数だけ設けることにより、小型の送風機１０を使用して効率良く寝床環境を改善することができる。
【００４４】
また、まくら１５の通気孔１７と本体６の吸気孔５が重なってずれないように固定することができる固定手段２２ａ、２２ｂを設けたことによりまくらの通気孔１７とカバー４の吸気孔Ｂ５ｂがずれてまくら１５の上面の空気を吸気することができなくなることを防止することができる。
【００４５】
なお、本発明は上記実施例に限定されるものではなく、以下のような拡張または変更が可能である。発熱体２はヒータのみとし、温熱治療効果と清涼効果を有するように構成しても良い。また、発熱体２は電位線のみとし、電位治療効果と清涼効果を有するように構成しても良い。また、発熱体２を有しない構成にして清涼機能だけ有する構成にしても良い。
【図面の簡単な説明】
【００４６】
【図１】本発明の一実施例を説明する温熱治療器の斜視図である。
【図２】同じく本体からまくらを除いた状態の斜視図である。
【図３】同じく本体からカバーＡを外した状態の斜視図である。
【図４】同じく本体に人が仰臥した状態の縦断面図である。
【図５】（ａ）は同じく本体に載置して使用するまくらの斜視図、（ｂ）は同じくまくらの破断斜視図である。
【図６】同じくまくらの底面斜視図である。
【符号の説明】
【００４７】
１  緩衝体
２  発熱体
３  立体格子空間材Ａ
５  吸気孔
６  本体
１０  送風機
１１  排気口
１５  まくら
１６  まくら素材
１７  通気孔
１８  立体格子空間材Ｂ
２２ａ、２２ｂ  固定手段
【図１】
2005192883.tif 000003
【図２】
2005192883.tif 000004
【図３】
2005192883.tif 000005
【図４】
2005192883.tif 000006
【図５】
2005192883.tif 000007
【図６】
2005192883.tif 000008